(57)【要約】【課題】平坦化と立体造形を簡単に行え、構造が簡単かつ堅牢性、ファッション性に富んだ折畳み式包装箱を提供する。【解決手段】折畳み式包装箱１を構成する前後左右の側板の接合部分は、折り込み自在とした重合片１０により接続されるとともに、重合片１０と前後側板３，５との折り込み対向面には、互いに磁着されるマグネット部材１２を予め設けてなり、前後左右各側板の立上げ状態で対向するマグネット部材１２の吸着磁力を作用させて箱形状を保持するようにした。【選択図】      図１
0003153710.tif 000002
【実用新案登録請求の範囲】
【請求項１】
偏平状態の製品展開形状から直方体状態の箱形状に折り込み成形するようにした折畳み式包装箱において、
折畳み式包装箱を構成する前後左右の側板の接合部分は、折り込み自在とした重合片により接続されるとともに、重合片と前後側板との折り込み対向面には、互いに磁着されるマグネット部材を予め設けてなり、前後左右各側板の立上げ状態で対向するマグネット部材の吸着磁力を作用させて箱形状を保持するようにしたことを特徴とする折畳み式包装箱。
【請求項２】
包装箱の矩形底板（４）の前後縁部に前側板（３）及び後側板（５）を折線を介して一体に形成するとともに、底板（４）の前後側板（３，５）の間になる左右縁部には、折線を介して左右側板（９，９）を一体に形成し、左右側板（９，９）と前後側板（３，５）との対向する四つ角部は、重合片（１０，１０，１０，１０）を介して折畳み展開可能に連結し、各重合片（１０，１０，１０，１０）は、直角三角形状になり、その一方の斜辺が折線を介して左右側板（９，９）の両縁部に連続し、その底辺が左右側板（９，９）の上辺に連続し、その他方の斜辺が、対向する前後側板（３，５）の内面の下角部から上辺の内方に折り込み自在に接続し、偏平状態の製品展開形状から折れ線を介して直方体状態に折込んでいくことにより、重合片（１０，１０，１０，１０）が前後側板（３，５）の角部内面に重合した状態で前後側板（３，５）および左右側板（９，９）が立ち上げられて直方体状の箱形に立体造形され、
前記重合片（１０，１０，１０，１０）と前記前後側板（３，５）との直角三角形状になる角部内面の折り込み対向面には、互いに磁着されるマグネット部材（１２）を予め設けてなり、前後左右各側板の立上げ状態で対向するマグネット部材（１２）の吸着磁力を作用させて箱形状を保持するようにしたことを特徴とする折畳み式包装箱。
【請求項３】
前記マグネット部材は、前記重合片と前記前後側板との直角三角形状になる角部内面の折り込み対向面の、少なくとも一部に予め設けてなり、前後左右各側板の立上げ状態で対向するマグネット部材の吸着磁力を作用させて箱形状を保持するようにしたことを特徴とする請求項２に記載の折畳み式包装箱。
【請求項４】
前記マグネット部材は、前記重合片と前記前後側板とを構成する厚手のシート部材の内部に埋設状態で設けられていることを特徴とする請求項２又は３に記載の折畳み式包装箱。
【請求項５】
前記左右側板（９，９）の両側部には、折線を介して左右側板を連続させるように矩形板状の連続部が一体に形成され、該連続部には、左右側板側の下角部から上角部にかけて対角線状に折線が形成され、該折線内側の左右側板に連続する直角三角形状の部分は前記重合片（１０，１０，１０，１０）とされて、前後側板（３，５）の内側外角部の直角三角形の内面に重合自在とされ、該折線外側の直角三角形状の部分は前後側板（３，５）の内面内側に接合固定されたことを特徴とする請求項２乃至４のいずれかに記載の折畳み式包装箱。
【請求項６】
前記前側板（３）の外縁部には折線を介して包装箱の蓋体となる天板（２）が一体に形成され、天板（２）の他縁部には折線を介して前記後側板（５）の外側面に重なる覆い片（７）を一体に形成してなり、該覆い片（７）と後側板（５）との対向面にそれぞれ互いに磁着されるマグネット部材（１２）を予め設けたことを特徴とする請求項２乃至５のいずれかに記載の折畳み式包装箱。
【請求項７】
互いに磁着される前記マグネット部材が、逆の極性に着磁されたマグネット同士であることを特徴とする請求項１乃至６のいずれかに記載の折畳み式包装箱。
【請求項８】
互いに磁着される前記マグネット部材が、マグネットとこれに磁着される鉄片などの磁性体であることを特徴とする請求項１乃至６のいずれかに記載の折畳み式包装箱。
【考案の詳細な説明】
【技術分野】
【０００１】
本考案は、折畳み式包装箱に関し、特に、使用時には箱形に立体造形され、不用時には偏平に折り畳まれるようにした包装箱に係るものである。
【背景技術】
【０００２】
硬質紙などの厚手シート状のものを立体造形する場合には、その製品展開形状に形成し、それぞれ立ち上げることにより、箱形に形成するが、この立体形状を保持するために、従来では隣合う片同士に重なりしろを形成し、この部分にメタルステッチャ、接着剤、粘着テープなどを介して固定することが行われている。しかし、これでは再びシート状に戻することは困難となる。つまりこの種の包装箱は、収納物を一時的に収納するだけに用いることを主眼としており、繰返し使用を考慮されてはいなかった。
【０００３】
その一方で、服飾品や、靴など、季節もの商品では、不使用時には箱内に収容しておき、使用時には箱から取出して使用することが行われるが、商品を取出した後の空箱はかさばるため、その格納場所に大きなスペースを必要としていた。
【０００４】
そこで、従来では切込みなどを入れこの切込み同士の躯合せにより、立体形状を保持し、平坦化する場合には、その切込み部分を取外すことにより、展開形状に戻すための構造が種々開発されている。
【考案の概要】
【考案が解決しようとする課題】
【０００５】
しかしながらこの種の工夫によっては、構造が複雑化し、元の平坦状に戻す作業が面倒となり、切込み箇所がちぎれたりして再度箱形に造形することが困難となる場合が多い。特にブランド物季節商品を収納する包装箱の場合には、それ自体を格納容積を多く取らず、繰返し使用が可能な堅牢性とファッション性も要求される。
【０００６】
そこで本考案は、以上の課題を解決するものであって、平坦化と立体造形を簡単に行え、構造が簡単かつ堅牢性、ファッション性に富んだ折畳み式包装箱を提供するものである。
【課題を解決するための手段】
【０００７】
上記目的を達成するための手段を実施の形態に対応する図面を用いて説明する。
本考案は、偏平状態の製品展開形状から直方体状態の箱形状に折り込み成形するようにした立方形状の折畳み式包装箱１において、折畳み式包装箱１を構成する前後左右の側板の接合部分は、折り込み自在とした重合片１０により接続されるとともに、重合片１０と前後側板３，５との折り込み対向面には、互いに磁着されるマグネット部材１２を予め設けてなり、前後左右各側板の立上げ状態で対向するマグネット部材１２の吸着磁力を作用させて箱形状を保持するようにした折畳み式包装箱を特徴としている。
【０００８】
請求項２の考案では、包装箱１の矩形底板４の前後縁部に前側板３及び後側板５を折線を介して一体に形成するとともに、底板４の前後側板３，５の間になる左右縁部には、折線を介して左右側板９，９を一体に形成し、左右側板９，９と前後側板３，５との対向する四つ角部は、重合片１０，１０，１０，１０を介して折畳み展開可能に連結し、各重合片１０，１０，１０，１０は、直角三角形状になり、その一方の斜辺が折線を介して左右側板９，９の両縁部に連続し、その底辺が左右側板９，９の上辺に連続し、その他方の斜辺が、対向する前後側板３，５の内面の下角部から上辺の内方に折り込み自在に接続し、偏平状態の製品展開形状から折れ線を介して直方体状態に折込んでいくことにより、重合片１０，１０，１０，１０が前後側板３，５の角部内面に重合した状態で前後側板３，５および左右側板９，９が立ち上げられて直方体状の箱形に立体造形される。
【０００９】
しかして、本考案では、前記重合片１０，１０，１０，１０と前記前後側板３，５との直角三角形状になる角部内面の折り込み対向面には、互いに磁着されるマグネット部材１２を予め設けてなり、前後左右各側板の立上げ状態で対向するマグネット部材１２の吸着磁力を作用させて箱形状を保持するようにした折畳み式包装箱を特徴としている。
【００１０】
請求項３に示すように、前記マグネット部材１２は、前記重合片と前記前後側板との直角三角形状になる角部内面の折り込み対向面の、少なくとも一部、例えば、箱の対角線状の二箇所に予め設けるようにしても良い。
【００１１】
請求項４に示すように、前記マグネット部材１２は、前記重合片１０と前記前後側板３，５とを構成する厚手のシート部材の内部に埋設状態で設けられていることが望ましい。  これにより、包装箱の外観性が良好となり、また、包装箱の使用中、マグネット部材が脱落することが防止される。
【００１２】
請求項５の考案では、前記左右側板９，９の両側部には、折線を介して左右側板を帯板状に連続させるように矩形板状の連続部が一体に形成され、該連続部には、左右側板側の下角部から上角部にかけて対角線状に折線が形成され、該折線内側の左右側板に連続する直角三角形状の部分は前記重合片１０，１０，１０，１０とされて、前後側板３，５の内側外角部の直角三角形の内面に重合自在とされ、該折線外側の直角三角形状の部分は前後側板３，５の内面内側に接着により接合固定されたことを特徴とする。
これにより、前後左右の側板の連結状態が強固となり、図１に示す折り畳み状態で、左右側板９，９が、重合片とともに、底板４及び前後側板５，６によって形成される矩形の板内に重合されるように折り畳まれ、その折り畳み状態が偏平で、積み重ね収納状態のスペース効率が良い。
【００１３】
請求項６の考案では、前記前側板３の外縁部には折線を介して包装箱の蓋体となる天板２が一体に形成され、天板２の他縁部には折線を介して前記後側板５の外側面に重なる覆い片７を一体に形成してなり、該覆い片７と後側板５との対向面にそれぞれ互いに磁着される薄形のマグネット部材１２を予め設けたことを特徴とする。
上記の構成により、重合片部の磁着力と天板部との磁着力により、包装箱１の組立状態の保持構造がより強固になる。
【００１４】
請求項１乃至５の折畳み式包装箱の構造において、天板（蓋）は、なくともよい。天板（蓋）を浅箱状として、前後左右の側板の上縁に嵌合させることにより、包装箱の組立状態はより安定し、且つ、折り畳み状態では、天板（蓋）を別に収納させることにより、包装箱の本体の積み重ね収納状態に支障がない。
【００１５】
請求項７に示されるように、互いに磁着される薄形の前記マグネット部材が、逆の極性に着磁されたマグネット同士であっても良い。
【００１６】
また、請求項８に示されるように、互いに磁着される薄形の前記マグネット部材が、マグネットとこれに磁着される鉄片などの金属磁性体であっても良い。
【考案の効果】
【００１７】
本考案では、箱形に立体造形した状態ではマグネット部材の吸着磁力の作用により箱形形状が保持されるものとになる。平坦に展開させる場合には、マグネット部材による吸着位置を離すことにより簡単に展開させることができる。
【００１８】
また、請求項６の考案では、箱形状の保持とともに、蓋閉じ状態に確実に保持することができる。
【００１９】
本考案に係る折畳み式包装箱は、ファッション性があり、化粧箱として繰り返し使用でき、製造時、廃材の発生も少なく、資源の有効利用に貢献することができる。また、不使用時には、簡単に偏平状態に折り畳んで収納でき、収納スペース効率が良いなど、実用上大きな効果がある。
【図面の簡単な説明】
【００２０】
【図１】本考案に係る折畳み箱の展開状態を示す斜視図である。
【図２】図１のＡ−Ａ線における部分拡大断面図である。
【図３】図１のＢ−Ｂ線における部分拡大断面図である。
【図４】折畳み開始初期状態の斜視図である。
【図５】折畳み途中経過を示す斜視図である。
【図６】折畳み完了および蓋明け状態の斜視図である。
【図７】（ａ），（ｂ）は蓋閉じ状態を互いに逆側から見た斜視図である。
【考案を実施するための形態】
【００２１】
以下、本考案の折畳み式包装箱を靴箱に適用した実施の形態例を図１〜７を参照して説明する。
図１において、展開状態の包装箱１は、長方形であってほぼ完全な平坦状をなし、蓋体となる長方形の天板２の一側部に前側板３、底板４、および底板４を挟んで他方の後側板５をそれぞれ谷折線６，６・・・を介して一体に形成するとともに、天板２の他側部には同じく谷折線６を介して側板覆い片７を一体に形成している。
【００２２】
底板４の長手方向両端縁には、図１中破線で示す山折線８を介して１対の左右側板９，９が折畳み展開可能に一体に形成されている。
【００２３】
左右側板９の両側は、前後側板３、５側に延長され、山折線８を介して直角三角形状に折畳まれ、かつその内側を前後側板３，５に接着した重合片１０．１０が一体化され、かつ各重合片１０と左右側板９は山折線８，８を介して折畳み展開可能となっている。なお、包装箱１の展開状態では、左右側板９および重合片１０が折畳まれることにより、他の部材とともに、平坦な状態に保持されている。
【００２４】
左右側板９，９の両側部には、折線８を介して左右側板を連続させるように矩形板状の連続部が一体に形成され、該連続部には、左右側板９，９側の下角部から上角部にかけて対角線状に折線８が形成され、該折線８内側の左右側板に連続する直角三角形状の部分は上記重合片１０，１０，１０，１０とされて、前後側板３，５の内側外角部の直角三角形の内面に重合自在とされ、該折線外側の直角三角形状の部分は前後側板３，５の内面内側の部分に接着により接合固定されている。
【００２５】
包装箱１の材質は、特に図２，図３に示すように、厚手の硬質紙などからなる芯材１ａと、芯材１ａの表面側に一体に貼着されるとともに、裏面側にその端縁を折返し貼着された薄手の装飾紙などからなる表装材１ｂと、芯材１ａの裏面側に貼着された薄手の紙からなる裏打材１ｃとからなっている。
【００２６】
また各部を区画する谷折線６、山折線８は、その折曲げ方向に向けて筋押し加工することによって形成され、それぞれの線をヒンジとして立体造形を可能としている。
【００２７】
覆い片７の長手方向２箇所と、他方の長側板５の長手方向２箇所であって、立体造形時における対面位置には、図１に示すように互いに吸着されるべく異なる極性に着磁されたコイン形薄型のマグネット部材１２が埋設固定されている。マグネット部材１２の形状は、矩形、円形など各種の形状とすることができる。
【００２８】
なお、覆い片７側では、図２に示すように、マグネット部材１２は芯材１ａと裏打材１ｃ間に狭持され、他方の後側板５側では、図３に示すように、マグネット部材１２は芯材１ａと表装材１ｂ間にそれぞれ狭持されることにより、立体造形の際に可級的に両マグネット部材１２同士が接近し、吸着磁力が高まるようになっている。
【００２９】
前側板３の長手方向二箇所と、各重合片１０の、包装箱１の立体造形時における対面位置にも、同じく互いに吸着されるマグネット部材１２が埋設されている。なお、図示省略するが、前側板３側ではマグネット部材１２は、芯材１ａと裏打材１ｂの間に狭着され、重合片１０側ではマグネット部材１２は芯材１ａと表装材１ｂ間に狭着されていることは言うまでもない。なお、図１中符号９ａは一方の左右側板９に明けられた通気用の空気孔である。包装箱１の内部には、防虫剤、防湿剤或いは芳香剤挿入用のポケットを設けておくことができる。
【００３０】
図１に示す包装箱１の偏平展開状態から、箱状に立体造形するには、図４に示すように、天板２あるいは前側板３などを手に持って矢印方向に回動することによって、図５に示すように各部が起きあがる。なお重合片１０の山折線８は、折畳み状態から起きあることによって谷折線として作用し、前後側板３，５の内側面に接近する。各部が立ち上げられることにより、重合片１０に対し前側板３の内面が接近すると、マグネット部材１２同士の吸着磁力が急速に高くなる結果、図６に示すように、上面開口したほぼ箱形の包装箱１を得ることができる。
【００３１】
次いで、天板２で開口を覆うとともに、覆い片７を他方の側板５の外側面に折込んで位置させると、前記と同様にマグネット部材１２同士の吸着時の力が急速に大きくなる結果、図７（ａ），（ｂ）に閉鎖された完全な直方体状の包装箱１に造形され、その立体形状が保たれることになる。
【００３２】
箱の不使用時には、マグネット同士を離間させつつ前記とは逆の手順で展開させることにより、再び図１に示す展開形状とすることができる。このときの力はマグネット部材１２同士を離間する時に受ける抵抗だけであるため、差込み形状による大きな抵抗力や、損壊などもなく、簡単に平面形に展開することができる。
【００３３】
従って例えば、季節毎の靴の使用時期には包装箱が不要となり、どこかに格納する必要があるが、このときは図１のごとく展開しておけば、収納容積を取ることがなく、また靴の不要時期には直ちに箱形に造形して靴の保存に活用できる。
【００３４】
前記実施の形態では、本考案を包装箱に適用した場合を示したが、衣料品、ハンドバッグ、鞄、その他の繰返し展開および立体造形が必要なファッション性のある包装箱として使用することもできる。また、内外を防湿処理したり、紙以外の例えば樹脂板などで構成することにより、耐久性も増すことができる。
【００３５】
また、実施の形態では固定位置の対向面に互いに吸着されるマグネットを予め埋設したが、例えばネオジムなどの希土類磁石などの強力磁石を用いる場合には、一方をマグネットに吸着される金属片などで構成することもでき、マグネットの使用数を半減できるため、経済的である。
【符号の説明】
【００３６】
１  包装箱
１ａ  芯材
１ｂ  表装材
１ｃ  裏打材
２  天板
３，５  前後側板
４  底板
６  折線
７  覆い部材
８  折線
９  左右側板
９ａ  空気孔
１０  重合片
１２  マグネット部材
【図１】
0003153710.tif 000003
【図２】
0003153710.tif 000004
【図３】
0003153710.tif 000005
【図４】
0003153710.tif 000006
【図５】
0003153710.tif 000007
【図６】
0003153710.tif 000008
【図７】
0003153710.tif 000009